(57)【要約】【課題】本発明は、板状情報記録媒体を対応する物品とともに確実に梱包を可能にする。【解決手段】板状情報記録媒体４を構成する円板上のデータが記憶されている部分以外の部分に、バージョン情報を記憶し読出しアクセスに応じて該バージョン情報を出力する無線タグ７を取り付け、梱包対象物品１および板状情報記録媒体４の梱包時に、前記無線タグ７のバージョン情報を読み取り、物品１のバージョンと無線タグ７のバージョン情報が一致するか否かを判定し、一致したときのみ当該板状情報記録媒体４を当該物品１と共に梱包する。【選択図】        図１
2004220704.tif 000002
【特許請求の範囲】
【請求項１】
バージョン情報が対応付けられてなる梱包対象物品と、この物品に関するデータが記憶された板状情報記録媒体とをまとめて梱包する物品梱包方法において、
該板状情報記録媒体を構成する円板上の、前記データが記憶されている部分以外の部分に、前記バージョン情報を記憶し読出しアクセスに応じて該バージョン情報を出力する無線タグを取り付けるステップと、
前記物品および板状情報記録媒体の梱包時に、前記無線タグのバージョン情報を読み取るステップと、
前記物品のバージョンと前記無線タグのバージョン情報が一致するか否かを判定し、一致したときのみ当該板状情報記録媒体を当該物品と共に梱包するステップとを含むことを特徴とする物品梱包方法。
【請求項２】
前記物品は、撮影レンズと該撮影レンズで結像された被写体像を読み取って画像信号を得る固体撮像素子を備え、撮影操作に応じたタイミングで該固体撮像素子で読み取った画像信号を記録するデジタルカメラであり、前記板状情報記録媒体は、該デジタルカメラ用のアプリケーションソフトウェアが記憶されたものであることを特徴とする請求項１記載の物品梱包方法。
【請求項３】
バージョン情報が対応付けられてなる梱包対象物品に関するデータが記憶され、該物品とともに梱包される物品情報記憶用板状情報記録媒体において、
前記データが記憶された板状情報記録媒体本体と、
該板状情報記録媒体本体の円板上の、前記データが記憶されている部分以外の部分に取り付けられ、前記物品のバージョン情報を記憶し読出しアクセスに応じて該バージョン情報を出力する無線タグとを備えたことを特徴とする物品情報記憶用板状情報記録媒体。
【請求項４】
前記データは、画像加工または整理保存用アプリケーションソフトウェアであることを特徴とする請求項３記載の物品情報記憶用板状情報記録媒体。
【発明の詳細な説明】
【０００１】
【発明の属する技術分野】
本発明は、デジタルカメラ等の物品とその物品に関する情報記憶用の板状情報記録媒体とをまとめて梱包する物品梱包方法および物品情報記憶用板状情報記録媒体に関する。
【０００２】
【従来の技術】
一般に、デジタルカメラにおいては、画像加工または整理保存用のアプリケーションソフトウェアが記憶された板状情報記録媒体であるＣＤ−ＲＯＭが作成され、デジタルカメラといっしょに梱包している。この場合、デジタルカメラがバージョンアップされた場合は、これに応じてＣＤ−ＲＯＭも変更してバージョンアップされたデジタルカメラとともに梱包する。したがって、バージョンアップされた製品とこれに対応したＣＤ−ＲＯＭは確実にいっしょに梱包する必要がある。従来は、ＣＤ−ＲＯＭの裏面に印刷されたバージョンナンバー、部品ナンバー等を目視しながら仕分け作業を行っている。
【０００３】
また、従来、バージョンアップした製品に適切なフォーマットにより正式ラベルを発行するラベル発行装置がある（例えば、特許文献１参照）。
【０００４】
また、従来の切手類販売システムとして、切手類の数量、販売価格、在庫の確認などの管理を合理化し、販売員の負担を軽減し、切手類を過不足なく効率的補充する技術がある（例えば、特許文献２参照）。
【０００５】
また、光ディスクの無断持ち出しを防止するため、ディスク中心孔と情報をビットとして記憶する反射膜の間に特定周波数の電波に共振する共振回路を設けた盗難防止機能つき光ディスクの技術がある（例えば、特許文献３参照）。
【０００６】
【特許文献１】
特開平９−１７９９５７号公報
【特許文献２】
特開平２００１−２２９１３号公報（第１、２頁、第１図）
【０００７】
【発明が解決しようとする課題】
近来、デジタルカメラは早いテンポで進歩し、バージョンアップがなされている。この進歩に伴って、デジタルカメラのアプリケーションソフトウェアも日々変化している。そのため、同一期間に製造するデジタルカメラであっても、別々のバージョンのソフトウェアを記憶したＣＤ−ＲＯＭが同時期に存在することがよくある。このように混在して製造されるデジタルカメラとソフトウェアを記憶したＣＤ−ＲＯＭとが同時期に存在すると梱包時に間違いを起こしやすい。
【０００８】
従来のように、目視により１つ１つ確認しながら仕分けを行う方法は、製造途中で急にバージョンの変更が発生したような場合、新旧のバージョンの製品が混在することになり、梱包時に間違いが発生しやすい。
【０００９】
本発明は、上記事情に鑑み、板状情報記録媒体を対応する物品ととに確実に梱包を可能にした物品梱包方法および物品情報記憶用板状情報記録媒体を提供することを目的とする。
【００１０】
【課題を解決するための手段】
上記目的を達成する本発明の物品梱包方法は、バージョン情報が対応付けられてなる梱包対象物品と、この物品に関するデータが記憶された板状情報記録媒体とをまとめて梱包する物品梱包方法において、
該板状情報記録媒体を構成する円板上の、前記データが記憶されている部分以外の部分に、前記バージョン情報を記憶し読出しアクセスに応じて該バージョン情報を出力する無線タグを取り付けるステップと、
前記物品および板状情報記録媒体の梱包時に、前記無線タグのバージョン情報を読み取るステップと、
前記物品のバージョンと前記無線タグのバージョン情報が一致するか否かを判定し、一致したときのみ当該板状情報記録媒体を当該物品と共に梱包するステップとを含むことを特徴とする。
【００１１】
本発明の物品梱包方法では、板状情報記録媒体を構成する円板上にバージョン情報を出力する無線タグを取り付け、物品および板状情報記録媒体の梱包時に、前記無線タグのバージョン情報を読み取り、物品のバージョンと前記無線タグのバージョン情報が一致するか否かを判定し、一致したときのみ当該板状情報記録媒体を当該物品と共に梱包する。これにより、バージョンの異なる新旧の製品が混在していても、板状情報記録媒体を確実に対応する物品とともに梱包できる。
【００１２】
前記物品は、撮影レンズと該撮影レンズで結像された被写体像を読み取って画像信号を得る固体撮像素子を備え、撮影操作に応じたタイミングで該固体撮像素子で読み取った画像信号を記録するデジタルカメラであり、前記板状情報記録媒体は、該デジタルカメラ用の画像加工および画像整理保存用のアプリケーションソフトウェアが記憶されたものであることが好ましい。
【００１３】
上記目的を達成する本発明の物品情報記憶用板状情報記録媒体は、バージョン情報が対応付けられてなる梱包対象物品に関するデータが記憶され、該物品とともに梱包される物品情報記憶用板状情報記録媒体において、
前記データが記憶された板状情報記録媒体本体と、
該板状情報記録媒体本体上の、前記データが記憶されている部分以外の部分に取り付けられ、前記物品のバージョン情報を記憶し読出しアクセスに応じて該バージョン情報を出力する無線タグとを備えたことを特徴とする。
【００１４】
本発明の物品情報記憶用板状情報記録媒体では、物品のバージョン情報を記憶し読出しアクセスに応じて該バージョン情報を出力する無線タグを取付けているので、無線タグのバージョン情報を読み取ることにより、目視によることなく当該板状情報記録媒体のバージョン情報を判定することができる。
【００１５】
前記データは、画像加工または画像整理保存用アプリケーションソフトウェアのデータであることが好ましい。
【００１６】
【発明の実施の形態】
以下、本発明の実施形態について説明する。
【００１７】
図１は、本発明の物品梱包方法を示す概念図であって、物品がデジタルカメラ、板状情報記録媒体がＣＤ−ＲＯＭの場合の例である。図２はＣＤ−ＲＯＭの側面図である。
【００１８】
図１は、デジタルカメラ１Ａとデジタルカメラ１Ｂとを同時期に梱包する例を示している。
【００１９】
デジタルカメラ１Ａは、撮影レンズ１３と該撮影レンズ１３で結像された被写体像を読み取って画像信号を得る固体撮像素子１４を備え、シャッタ１５による撮影操作に応じたタイミングで該固体撮像素子１４で読み取った画像信号を記録するものである。このデジタルカメラ１Ａに関する説明書２Ａと，付属品３Ａと、画像加工または整理保存用のアプリケーションソフトウェア、ならびにデジタルカメラ１Ａのバージョン情報が記憶されたＣＤ−ＲＯＭ４Ａをまとめて個装箱５Ａに梱包する。また、デジタルカメラ１Ｂは、このデジタルカメラ１Ｂに関する説明書２Ｂと，付属品３Ｂと、画像加工および整理保存用のアプリケーションソフトウェア、ならびにデジタルカメラ１Ｂのバージョン情報が記憶されたＣＤ−ＲＯＭ４Ｂをまとめて個装箱５Ｂに梱包する。
【００２０】
デジタルカメラ１Ａは、例えば半年前に製造された旧製品であり、デジタルカメラ１Ｂはバージョンアップされた新製品であるとする。このように新旧の製品が混在している場合、個装箱５Ａ、５Ｂに梱包するときＣＤ−ＲＯＭに入れ違いが生じやすい。
【００２１】
本発明は、このような場合、ＣＤ−ＲＯＭ４Ａと４Ｂとが混乱しないように以下の手段を用いている。
【００２２】
図２に示すように、ＣＤ−ＲＯＭ４の本体である円板上であってデータが記憶されている記憶部分６以外の部分、図示の例では記憶部分６の反対側の面に、ＣＤ−ＲＯＭ４Ａおよび４Ｂのバージョン情報を記憶した無線タグ７を貼り付けている。バージョン情報としては、例えば、バージョンナンバーが使用される。バージョンナンバーはＣＤ−ＲＯＭの面にも印刷されているが、これをデータとして無線タグ７に記憶しておく。なお、予めバージョン情報を記憶してある無線タグ７をＣＤ−ＲＯＭに貼り付けてもよいし、あるいはなにも記憶されていない無線タグ７をＣＤ−ＲＯＭに貼り付けておき、これにバージョン情報を入力してもよい。
【００２３】
このようにして、無線タグ７が貼り付けられているＣＤ−ＲＯＭ４は、各バージョン毎に保護袋８に封入される。そして、梱包時には、ＣＤ−ＲＯＭを１枚ずつ無線タグ読取装置１０に通し、無線タグ７のバージョン情報を読み取る。判定部１１ではデジタルカメラ１Ａに対応するＣＤ−ＲＯＭ４Ａか、あるいはデジタルカメラ１Ｂに対応するＣＤ−ＲＯＭ４Ｂかを判定し、この判定結果に基づいて仕分けし、個装箱５Ａあるいは５Ｂに梱包する。これにより、新旧製品が混在していてもＣＤ−ＲＯＭ４Ａ、４Ｂの入れ間違いがなくなり、確実にデジタルカメラ１Ａ，１Ｂと、そのソフトウェアが記憶されたＣＤ−ＲＯＭ４Ａ、４Ｂを一致させることができる。
【００２４】
なお、無線タグ７貼り付ける個所は記憶部分６以外であればどこでもよいが、図示のように円板の中央寄りの個所に設けておくと、無線タグ７の位置が多少ずれていても円板の中央付近に配置した無線タグ読取装置１０で読取り可能となるため好都合である。また、上記実施形態では、梱包対象物品がデジタルカメラ、板状情報記録媒体がＣＤ−ＲＯＭの例を示しているが、これに限定するものではなく、バージョン情報が対応付けられてなる物品と、この物品に関するデータが記憶された板状情報記録媒体（例えば、ＤＶＤ，ＳＤメモリ、メモリスティック、記録メディア、フロッピ等）とをまとめて梱包するあらゆる物品の梱包に適用可能である。
【００２５】
【発明の効果】
以上、説明したように、本発明の物品梱包方法によれば、バージョンの異なる複数の製品が混在していても、板状情報記録媒体を確実に対応する物品といっしょに梱包することができる。
【００２６】
本発明の物品情報記憶用板状情報記録媒体によれば、無線タグのバージョン情報を読み取ることで目視によることなく当該板状情報記録媒体のバージョン情報を判定することができる。
【図面の簡単な説明】
【図１】本発明の物品梱包方法の概念図である。
【図２】物品情報記憶用ＣＤ−ＲＯＭの側面図である。
【符号の説明】
１Ａ，１Ｂ    デジタルカメラ（梱包対象物品）
４Ａ、４Ｂ    ＣＤ−ＲＯＭ（板状情報記録媒体）
５    個装箱
７    無線タグ
１０    読取装置
１１    判定部
１３    撮影レンズ
１４    固体撮像素子
１５    シャッタボタン
【図１】
2004220704.tif 000003
【図２】
2004220704.tif 000004